(57)【要約】    【課題】  ＰＡＬ方式の複合映像信号のうちの標準信号及び非標準信号のいずれに対しても適切な輝度信号及び色信号への分離を行うことができるＹ／Ｃ分離回路を提供する。    【解決手段】  処理対象ラインの映像信号と、その前後の映像信号とを用いて色信号を生成する適応型コムフィルタと、処理対象ラインの映像信号中の色信号を抽出するバンドパスフィルタと、処理対象ライン内の映像信号の水平相関性と、処理対象ラインとその前後のラインとの映像信号中の輝度信号の垂直相関性と、処理対象ラインとその前後のラインとの映像信号中の色信号の垂直相関性とを検出する相関検出回路と、輝度信号の垂直相関性及び色信号の垂直相関性が共にありと検出された場合に適応型コムフィルタの出力を選択し、映像信号の水平相関性がありかつ輝度信号及び色信号の垂直相関性がなしと検出された場合にバンドパスフィルタの出力を選択するセレクタと、セレクタの出力色信号と処理対象ラインの映像信号とを用いて輝度信号を生成する輝度信号生成部と、を備えた。【選択図】  図１
2006157550.tif 000002
【特許請求の範囲】
【請求項１】
ＰＡＬ方式の複合映像信号を入力して輝度信号と色信号とに分離するＹ／Ｃ分離回路であって、
処理対象ラインの映像信号と、その前後の映像信号とを用いて色信号を生成する適応型コムフィルタと、
前記処理対象ラインの映像信号中の色信号を抽出するバンドパスフィルタと、
前記処理対象ライン内の映像信号の水平相関性と、前記処理対象ラインとその前後のラインとの映像信号中の輝度信号の垂直相関性と、前記処理対象ラインとその前後のラインとの映像信号中の色信号の垂直相関性とを検出する相関検出回路と、
前記相関検出回路によって前記輝度信号の垂直相関性及び色信号の垂直相関性が共にありと検出された場合に前記適応型コムフィルタの出力を選択し、前記相関検出回路によって前記映像信号の水平相関性がありかつ前記輝度信号及び色信号の垂直相関性がなしと検出された場合に前記バンドパスフィルタの出力を選択するセレクタと、
前記セレクタから出力される色信号と前記処理対象ラインの映像信号とを用いて輝度信号を生成する輝度信号生成部と、を備えたことを特徴とするＹ／Ｃ分離回路。
【請求項２】
前記相関検出回路は、前記処理対象ラインの映像信号の輝度信号に対するその前後のラインの映像信号の輝度信号の変化度を検出し、
変化度が所定値以上の場合、前記セレクタは前記適応型コムフィルタの出力を選択することを特徴とする請求項１記載のＹ／Ｃ分離回路。
【請求項３】
入力される前記複合映像信号が標準のＰＡＬ方式の映像信号である場合に、前記コムフィルタは前記処理対象ラインの映像信号とその２ライン前後の映像信号とを用いて色信号を生成し、前記相関検出回路は処理対象ラインの映像信号とその２ライン前後のラインの映像信号との輝度信号の垂直相関性と、前記処理対象ラインの映像信号とその２ライン前後のラインの映像信号との色信号の垂直相関性とを検出することを特徴とする請求項１記載のＹ／Ｃ分離回路。
【請求項４】
入力される前記複合映像信号が標準のＰＡＬ方式の映像信号ではない場合に、前記コムフィルタは前記処理対象ラインの映像信号とその１ライン前後の映像信号とを用いて色信号を生成し、前記相関検出回路は処理対象ラインの映像信号とその１ライン前後のラインの映像信号との輝度信号の垂直相関性を検出し、前記セレクタは、垂直相関性がありと検出された場合には前記適応型コムフィルタの出力を選択し、垂直相関性がなしと検出された場合には前記バンドパスフィルタの出力を選択することを特徴とする請求項１記載のＹ／Ｃ分離回路。
【発明の詳細な説明】
【技術分野】
【０００１】
本発明は、ＰＡＬ方式の複合映像信号を輝度信号と色信号とに分離するＹ／Ｃ分離回路に関する。
【背景技術】
【０００２】
ＰＡＬ方式の複合映像信号から輝度信号と色信号とを各々分離抽出するＹ／Ｃ分離回路としてコムフィルタを採用したものが知られている（例えば、特許文献１参照）。かかるコムフィルタを採用した従来のＹ／Ｃ分離回路においては、２つの２Ｈ遅延素子と３つのバンドパスフィルタが備えられ、入力された複合映像信号が第１の２Ｈ遅延素子によって２水平走査期間分だけ遅延され、その遅延された複合映像信号は更に第２の２Ｈ遅延素子によって２水平走査期間分だけ遅延される。第１の２Ｈ遅延素子による遅延映像信号が処理対象ラインの信号とされ、第２の２Ｈ遅延素子による遅延映像信号と入力複合映像信号とが処理対象ラインより２つ下と２つ上のラインの信号とされる。それらの入力複合映像信号と第１及び第２の２Ｈ遅延素子による各遅延映像信号とを個別にバンドパスフィルタを介して得られた３つのバンドパス信号に基づいたコムフィルタによるライン間のコムフィルタ処理によって色信号と輝度信号とが各々生成される。
【特許文献１】特開平０６−５４３４２号公報
【発明の開示】
【発明が解決しようとする課題】
【０００３】
しかしながら、ＰＡＬ方式の複合映像信号の中には副搬送波の位相が上下１ライン間で９０度ずれた（３ラインうちの第１ラインと第３ラインとでは１８０度ずれた）標準信号とは異なる例えば、ＰＡＬ６０のような非標準信号も存在するので、かかる従来のＹ／Ｃ分離回路の構成では非標準信号には対応しないという問題があった。また、標準信号であっても垂直方向に相関性がない映像信号についてライン間のコムフィルタ処理を行うと、いわゆるドットクロールが発生して画質劣化を招くという問題があった。
【０００４】
本発明が解決しようとする課題には、上記の欠点が一例として挙げられ、ＰＡＬ方式の複合映像信号のうちの標準信号及び非標準信号のいずれに対しても適切な輝度信号及び色信号への分離を行うことができるＹ／Ｃ分離回路を提供することが本発明の目的である。
【課題を解決するための手段】
【０００５】
請求項１に係る発明のＹ／Ｃ分離回路は、ＰＡＬ方式の複合映像信号を入力して輝度信号と色信号とに分離するＹ／Ｃ分離回路であって、処理対象ラインの映像信号と、その前後の映像信号とを用いて色信号を生成する適応型コムフィルタと、前記処理対象ラインの映像信号中の色信号を抽出するバンドパスフィルタと、前記処理対象ライン内の映像信号の水平相関性と、前記処理対象ラインとその前後のラインとの映像信号中の輝度信号の垂直相関性と、前記処理対象ラインとその前後のラインとの映像信号中の色信号の垂直相関性とを検出する相関検出回路と、前記相関検出回路によって前記輝度信号の垂直相関性及び色信号の垂直相関性が共にありと検出された場合に前記適応型コムフィルタの出力を選択し、前記相関検出回路によって前記映像信号の水平相関性がありかつ前記輝度信号及び色信号の垂直相関性がなしと検出された場合に前記バンドパスフィルタの出力を選択するセレクタと、前記セレクタから出力される色信号と前記処理対象ラインの映像信号とを用いて輝度信号を生成する輝度信号生成部と、を備えたことを特徴としている。
【発明を実施するための最良の形態】
【０００６】
以下、本発明の実施例を図面を参照しつつ詳細に説明する。
【０００７】
図１は、本発明によるＹ／Ｃ分離回路の構成を示すブロック図である。
【０００８】
図１に示す如く、かかるＹ／Ｃ分離回路は、１ライン遅延メモリ１０〜１３、ライン切替セレクタ１９，２０、フィルタ回路２３〜２５、相関検出回路２７、ラインコムフィルタ２９、切替セレクタ３２及び減算器３４からなる。
【０００９】
１ライン遅延メモリ１０〜１３はその順に直列に接続されており、最初の１ライン遅延メモリ１０には、Ｙ／Ｃ分離回路への入力映像信号であるディジタル化された複合映像信号が供給される。１ライン遅延メモリ１０〜１３の各々は供給される映像信号を１ライン分の時間（１水平走査期間）だけの遅延させて保持出力する。１ライン遅延メモリ１１の出力映像信号が現ライン（処理対象ライン）Currentを示すとすると、１ライン遅延メモリ１０の出力映像信号は現ラインより１つ下のライン1Lowerを示し、１ライン遅延メモリ１０の入力映像信号は現ラインより２つ下のライン2Lowerを示し、１ライン遅延メモリ１２の出力映像信号は現ラインより１つ上のライン1Upperを示し、１ライン遅延メモリ１３の出力映像信号は現ラインより２つ上のライン2Upperを示す。
【００１０】
ライン切替セレクタ１９は入力映像信号である２つ下のラインの映像信号2Lowerと１ライン遅延メモリ１０から出力される１つ下のラインの映像信号1Lowerとのいずれか一方を非標準判定信号に応じて選択的にフィルタ回路２３に出力する。また、ライン切替セレクタ２０は１ライン遅延メモリ１２から出力される１つ上のラインの映像信号1Upperと１ライン遅延メモリ１３から出力される２つ上のラインの映像信号2Upperとのいずれか一方を非標準判定信号に応じて選択的にフィルタ回路２５に出力する。
【００１１】
非標準判定信号は入力映像信号が標準信号であるか否かを示す信号である。標準信号とは処理対象ラインに対してそれより２つ上のライン、また２つ下のラインの色副搬送波の位相が１８０度ずれている標準のＰＡＬ方式の映像信号をいう。
【００１２】
１ライン遅延メモリ１１から出力される現ラインの映像信号Currentはフィルタ回路２４に供給される。
【００１３】
フィルタ回路２３〜２５の各々はバンドパスフィルタ（ＢＰＦ）２３ａ〜２５ａとローパスフィルタ（ＬＰＦ）２３ｂ〜２５ｂとを有し、入力映像信号はそのままのスルー出力信号となる他、バンドパスフィルタ２３ａ〜２５ａ及びローパスフィルタ２３ｂ〜２５ｂに供給される。フィルタ回路２３はスルー出力信号Ｌ−ＣＶＢＳ、バンドパスフィルタ２３ａの出力信号Ｌ−ＢＰＦ及びローパスフィルタ２３ｂの出力信号Ｌ−ＬＰＦを出力する。フィルタ回路２４はスルー出力信号Ｍ−ＣＶＢＳ、バンドパスフィルタ２４ａの出力信号Ｍ−ＢＰＦ及びローパスフィルタ２４ｂの出力信号Ｍ−ＬＰＦを出力する。フィルタ回路２５はスルー出力信号Ｕ−ＣＶＢＳ、バンドパスフィルタ２５ａの出力信号Ｕ−ＢＰＦ及びローパスフィルタ２５ｂの出力信号Ｕ−ＬＰＦを出力する。
【００１４】
相関検出回路２７はフィルタ回路２３〜２５の出力に接続されており、処理対象ライン及びその前後ラインについて垂直方向及び水平方向における相関性を検出してその検出結果を出力する。相関検出回路２７の具体的構成については後述する。
【００１５】
ラインコムフィルタ２９は、バンドパスフィルタ２３ａ〜２５ａの出力信号Ｌ−ＢＰＦ、Ｍ−ＢＰＦ、Ｕ−ＢＰＦに応じて入力映像信号の色信号を抽出する構成を有する適応型コムフィルタである。ラインコムフィルタ２９は、例えば、出力信号Ｕ−ＢＰＦとＬ−ＢＰＦとを加算する一方、２倍に増幅したＭ−ＢＰＦとその加算結果との差を算出する構成である。
【００１６】
切替セレクタ３２はラインコムフィルタ２９の出力信号とバンドパスフィルタ２４ａの出力信号Ｍ−ＢＰＦとのいずれか一方を相関検出回路２７の相関検出結果に応じて選択的に出力する。この選択出力がＹ／Ｃ分離回路の色信号出力となる。
【００１７】
減算器３４は処理対象ラインの映像信号である１ライン遅延メモリ１１の出力映像信号から切替セレクタ３２の出力色信号を差し引いて輝度信号を出力する。
【００１８】
相関検出回路２７は図２に示すように、ＤＣレベル差分検出器３６、水平度検出器３７、ＣＶＢＳ差分検出器３８、ＢＰＦ差分検出器３９、角検出器４０、ＡＮＤ回路４８，５１、ＯＲ回路４９，５０，５２及びセレクタ５３を備えている。
【００１９】
ＤＣレベル差分検出器３６は、ローパスフィルタ２３ｂ〜２５ｂの出力信号Ｌ−ＬＰＦ、Ｍ−ＬＰＦ、Ｕ−ＬＰＦに応じて処理対象ラインの映像信号とその前後のラインの映像信号との低域成分の差分が第１所定値より小であるか否かを検出する。すなわち、ライン間の輝度信号の低域成分の差分から垂直方向の相関性があるか否かを判断することが行われる。ＤＣレベル差分検出器３６は、その差分が第１所定値より小である場合には垂直方向の相関性があるとして論理１を示す信号を出力し、その差分が第１所定値以上である場合には垂直方向の相関性がないとして論理０を示す信号を出力する。
【００２０】
水平度検出器３７は、ローパスフィルタ２４ｂの出力信号Ｍ−ＬＰＦに応じて処理対象ライン内の映像信号の着目画素の低域成分と左右に隣接する画素の低域成分との差分が第２所定値より小であるか否か検出する。すなわち、着目画素の左右に隣接する画素の低域成分の差分から水平方向の相関性があるか否かを判断することが行われる。水平度検出器３７は、その差分が第２所定値より小である場合には水平方向の相関性があるとして論理１を示す信号を出力し、その差分が第２所定値以上である場合には水平方向の相関性がないとして論理０を示す信号を出力する。
【００２１】
ＣＶＢＳ差分検出器３８は、スルー出力信号Ｌ−ＣＶＢＳ、Ｍ−ＣＶＢＳ及びＵ−ＣＶＢＳ並びにバンドパスフィルタ２４ａの出力信号Ｍ−ＢＰＦに応じて処理対象ラインの映像信号とその前後のラインの映像信号との差分が第３所定値より小であるか否か検出する。すなわち、ライン間の映像信号（スルー出力信号）の差分から垂直方向の相関性があるか否かを判断することが行われる。これは差分を求める各信号にクロマ成分がない場合、又はその各信号にクロマ成分があり１８０度ずれた位置で振幅値がほぼ等しい場合である。第３所定値はバンドパスフィルタ２４ａの出力信号Ｍ−ＢＰＦに応じて算出される。ＣＶＢＳ差分検出器３８は、差分が第３所定値より小である場合には論理１を示す信号を出力し、差分が第３所定値以上ある場合には論理０を示す信号を出力する。
【００２２】
ＢＰＦ差分検出器３９は、バンドパスフィルタ２３ａ〜２５ａの出力信号Ｌ−ＢＰＦ、Ｍ−ＢＰＦ、Ｕ−ＢＰＦに応じて処理対象ラインの映像信号の色信号帯域成分とその前後のラインの映像信号の色信号帯域成分との差分が第４所定値より小であるか否か検出する。すなわち、ライン間の映像信号の色信号帯域成分の差分から垂直方向の相関性があるか否かを判断することが行われる。これはＣＶＢＳ差分検出器３８と同様に、差分を求める各信号にクロマ成分がない場合、又はその各信号にクロマ成分があり１８０度ずれた位置で振幅値がほぼ等しい場合である。ＢＰＦ差分検出器３９は、色信号帯域成分の差分が第４所定値より小である場合には論理１を示す信号を出力し、差分が第４所定値以上ある場合には論理０を示す信号を出力する。
【００２３】
角検出器４０は、ローパスフィルタ２３ｂ〜２５ｂの出力信号Ｌ−ＬＰＦ、Ｍ−ＬＰＦ、Ｕ−ＬＰＦに応じて処理対象ラインの低域成分に対するその前後のラインの映像信号における輝度信号成分の変化が大きいか否かを検出する。画像のエッジ部があって変化が大きい場合には論理１を示す信号を出力し、変化が小さい場合には論理０を示す信号を出力する。
【００２４】
ＡＮＤ回路４８はＤＣレベル差分検出器３６の出力信号とＣＶＢＳ差分検出器３８の出力信号との論理積をとる。
【００２５】
ＯＲ回路４９は水平度検出器３７の出力信号の反転信号とＢＰＦ差分検出器３９の出力信号との論理和をとる。ＯＲ回路５０は水平度検出器３７の出力信号の反転信号とＣＶＢＳ差分検出器３８の出力信号との論理和をとる。ＡＮＤ回路５１はＤＣレベル差分検出器３６の出力信号とＯＲ回路４９，５０の各出力信号との論理積をとる。ＯＲ回路５２はＡＮＤ回路５１の出力信号と角検出器４０の出力信号との論理和をとる。
【００２６】
セレクタ５３には、ＡＮＤ回路４８の出力信号とＯＲ回路５２の出力信号と非標準判定信号とが供給される。セレクタ５３は非標準判定信号に応じてＡＮＤ回路４８の出力信号とＯＲ回路５２の出力信号とのいずれか一方を相関検出回路２７の検出結果として選択的に出力する。
【００２７】
次に、かかる構成のＹ／Ｃ分離回路の動作について説明する。
【００２８】
入力映像信号としては標準信号であるＰＡＬ方式の複合映像信号の他、ＰＡＬ６０或いはＮＴＳＣ４.４３のような非標準信号が考慮されている。非標準信号では上下のライン間で色副搬送波の位相のずれが９０度とならない。すなわち、処理対象ラインに対してそれより２つ上のライン、また２つ下のラインの色副搬送波の位相が１８０度ずれていない。入力映像信号が標準信号と非標準信号とのいずれであるかは上記した非標準判定信号によって判別可能である。なお、入力映像信号はＹ／Ｃ分離回路以外の信号判定回路（図示せず）において標準信号と非標準信号とのいずれであるかについて判定され、その判定結果が非標準判定信号である。
【００２９】
入力映像信号は処理対象ラインCurrentより２つ下のラインの映像信号2Lowerであり、１ライン遅延メモリ１０は処理対象ラインCurrentより１つ下のラインの映像信号1Lowerを出力し、１ライン遅延メモリ１１は処理対象ラインCurrentの映像信号を出力し、１ライン遅延メモリ１２は処理対象ラインCurrentより１つ上のラインの映像信号1Upperを出力し示し、１ライン遅延メモリ１３は処理対象ラインCurrentより２つ上のラインの映像信号2Upperを出力する。
【００３０】
非標準判定信号が標準信号を示す場合には、ライン切替セレクタ１９は映像信号2Lowerを選択してフィルタ回路２３に出力し、ライン切替セレクタ２０は映像信号2Upperを選択してフィルタ回路２５に出力する。これは標準信号では処理対象ラインCurrentに対してそれより２つ上のライン、また２つ下のラインの色副搬送波の位相が１８０度ずれていることを利用するためである。
【００３１】
非標準判定信号が非標準信号を示す場合には、ライン切替セレクタ１９は映像信号1Lowerを選択してフィルタ回路２３に出力し、ライン切替セレクタ２０は映像信号1Upperを選択してフィルタ回路２５に出力する。これは逆に上記の色副搬送波の位相が１８０度ずれていることが利用できないからである。
【００３２】
フィルタ回路２３はスルー出力信号Ｌ−ＣＶＢＳ、バンドパスフィルタ２３ａの出力信号Ｌ−ＢＰＦ及びローパスフィルタ２３ｂの出力信号Ｌ−ＬＰＦを出力する。フィルタ回路２４はスルー出力信号Ｍ−ＣＶＢＳ、バンドパスフィルタ２４ａの出力信号Ｍ−ＢＰＦ及びローパスフィルタ２４ｂの出力信号Ｍ−ＬＰＦを出力する。フィルタ回路２５はスルー出力信号Ｕ−ＣＶＢＳ、バンドパスフィルタ２５ａの出力信号Ｕ−ＢＰＦ及びローパスフィルタ２５ｂの出力信号Ｕ−ＬＰＦを出力する。
【００３３】
相関検出回路２７の動作説明に当たり、図３に示すように、処理対象ラインの３つの連続する左、中央及び右の画素についてデータの添え字をＭＬ，ＭＣ，ＭＲとし、処理対象ラインより上のラインの３つの連続する左、中央及び右の画素についてデータの添え字をＵＬ，ＵＣ，ＵＲとし、処理対象ラインより下のラインの３つの連続する左、中央及び右の画素についてデータの添え字をＬＬ，ＬＣ，ＬＲとする。なお、ＵＬ，ＭＬ，ＬＬに関する３つの画素は垂直方向に同一ライン上に位置し、ＵＣ，ＭＣ，ＬＣに関する３つの画素は垂直方向に同一ライン上に位置し、ＵＲ，ＭＲ，ＬＲに関する３つの画素は垂直方向に同一ライン上に位置する。また、入力映像信号が標準信号の場合には、処理対象ラインより上のラインは処理対象ラインより２つ上のラインであり、処理対象ラインより下のラインは処理対象ラインより２つ下のラインである。非標準信号の場合には、処理対象ラインより上のラインは処理対象ラインより１つ上のラインであり、処理対象ラインより下のラインは処理対象ラインより１つ下のラインである。
【００３４】
ＤＣレベル差分検出器３６においては、ローパスフィルタ２５ｂの出力信号Ｕ−ＬＰＦに応じて処理対象ラインより上のラインのレベルＤUが算出され、ローパスフィルタ２４ｂの出力信号Ｍ−ＬＰＦに応じて処理対象ラインのレベルＤMが算出され、ローパスフィルタ２３ｂの出力信号Ｌ−ＬＰＦに応じて処理対象ラインより下のラインのレベルＤLが算出される。レベルＤU，ＤM，ＤLは次のように算出される。
【００３５】
ＤU＝ＬＰＦUL/４＋ＬＰＦUC/２＋ＬＰＦUR/４
ＤM＝ＬＰＦML/４＋ＬＰＦMC/２＋ＬＰＦMR/４
ＤL＝ＬＰＦLL/４＋ＬＰＦLC/２＋ＬＰＦLR/４
ここで、ＬＰＦUL，ＬＰＦUC，ＬＰＦURは出力信号Ｕ−ＬＰＦから得られる画素ＵＬ，ＵＣ，ＵＲの信号値である。ＬＰＦML，ＬＰＦMC，ＬＰＦMRは出力信号Ｍ−ＬＰＦから得られる画素ＭＬ，ＭＣ，ＭＲの信号値である。ＬＰＦLL，ＬＰＦLC，ＬＰＦLRは出力信号Ｌ−ＬＰＦから得られる画素ＬＬ，ＬＣ，ＬＲの信号値である。
【００３６】
｜ＤU−ＤM｜及び｜ＤM−ＤL｜のうちの最小値ＭＩＮDCに係数αDCを乗算した値ＭＩＮDC・αDCがＬＰＦMC（第１所定値）より小であるか否かが判別される。ＭＩＮDC・αDC＜ＬＰＦMCの場合には垂直方向の相関性があるとして論理１を示す信号が出力され、ＭＩＮDC・αDC≧ＬＰＦMCの場合には垂直方向の相関性がないとして論理０を示す信号が出力される。
【００３７】
水平度検出器３７においては、ローパスフィルタ２４ｂの出力信号Ｍ−ＬＰＦから得られるＬＰＦML，ＬＰＦMC，ＬＰＦMRのうちから最大値ＭＡＸLPF及び最小値ＭＩＮLPFが求められ、最小値ＭＩＮLPFに係数αFLが乗算され、ＭＩＮLPF・αFLFがＭＡＸLP（第２所定値）より小であるか否かが判別される。ＭＡＸLPF＞ＭＩＮLPF・αFLの場合には、水平方向の相関性があるとして論理１を示す信号を出力し、ＭＡＸLPF≦ＭＩＮLPF・αFLの場合には、水平方向の相関性がないとして論理０を示す信号を出力する。
【００３８】
ＣＶＢＳ差分検出器３８においては、スルー出力信号Ｕ−ＣＶＢＳ、Ｍ−ＣＶＢＳ及びＬ−ＣＶＢＳに応じて処理対象ラインとそれより上のラインとの間のレベル差の最大値ＤＣMUと、処理対象ラインとそれより下のラインとの間のレベル差の最大値ＤＣMLとが次のように算出される。
【００３９】
ＤＣMU＝ＭＡＸ(｜ＣＶＢＳML−ＣＶＢＳUL｜，｜ＣＶＢＳMC−ＣＶＢＳUC｜，｜ＣＶＢＳMR−ＣＶＢＳUR｜)
ＤＣML＝ＭＡＸ(｜ＣＶＢＳML−ＣＶＢＳLL｜，｜ＣＶＢＳMC−ＣＶＢＳLC｜，｜ＣＶＢＳMR−ＣＶＢＳLR｜)
すなわち、スルー出力信号Ｕ−ＣＶＢＳから得られる画素ＵＬ，ＵＣ，ＵＲについての信号値ＣＶＢＳUL，ＣＶＢＳUC，ＣＶＢＳUR、スルー出力信号Ｍ−ＣＶＢＳから得られる画素ＭＬ，ＭＣ，ＭＲについての信号値ＣＶＢＳML，ＣＶＢＳMC，ＣＶＢＳMR、スルー出力信号Ｌ−ＣＶＢＳから得られる画素ＬＬ，ＬＣ，ＬＲについての信号値ＣＶＢＳLL，ＣＶＢＳLC，ＣＶＢＳLRが用いられる。｜ＣＶＢＳML−ＣＶＢＳUL｜，｜ＣＶＢＳMC−ＣＶＢＳUC｜，｜ＣＶＢＳMR−ＣＶＢＳUR｜のうちの最大値がＤＣMUである。｜ＣＶＢＳML−ＣＶＢＳLL｜，｜ＣＶＢＳMC−ＣＶＢＳLC｜，｜ＣＶＢＳMR−ＣＶＢＳLR｜のうちの最大値がＤＣMLである。
【００４０】
更に、次に示すように、最大値ＤＣMU，ＤＣMLのうちの小なる方がＣＶＢＳMAXSUBとされ、バンドパスフィルタ２４ａの出力信号Ｍ−ＢＰＦから得られる画素ＭＬ，ＭＣ，ＭＲについての信号値ＢＰＦML，ＢＰＦMC，ＢＰＦMRの最大値がＣPOW（第３所定値）として得られる。
【００４１】
ＣＶＢＳMAXSUB＝ＭＩＮ(ＤＣMU，ＤＣML)
ＣPOW＝ＭＡＸ(ＢＰＦML，ＢＰＦMC，ＢＰＦMR)
ＣＶＢＳMAXSUBには係数αC4が乗算され、ＣＶＢＳMAXSUB・αC4がＣPOWより小であるか否かが判別される。ＣＶＢＳMAXSUB・αC4＜ＣPOWの場合には、垂直方向の複合映像信号値の差分が非常に小さいので論理１を示す信号が出力され、ＣＶＢＳMAXSUB・αC4≧ＣPOWの場合には垂直方向の複合映像信号値の差分がかなりあるので論理０を示す信号が出力される。
【００４２】
ＢＰＦ差分検出器３９においては、バンドパスフィルタ２３ａ〜２５ａの出力信号Ｌ−ＢＰＦ、Ｍ−ＢＰＦ、Ｕ−ＢＰＦに応じて処理対象ラインとそれより上のラインとの間のレベル差の最大値の１／２の値ＤMUと、処理対象ラインとそれより下のラインとの間のレベル差の最大値の１／２のＤMLとが次のように算出される。
【００４３】
ＤMU＝ＭＡＸ(|ＢＰＦML−ＢＰＦUL|，|ＢＰＦMC−ＢＰＦUC|，|ＢＰＦMR−ＢＰＦUR|)／２
ＤML＝ＭＡＸ(|ＢＰＦML−ＢＰＦLL|，|ＢＰＦMC−ＢＰＦLC|，|ＢＰＦMR−ＢＰＦLR|)／２
すなわち、出力信号Ｕ−ＢＰＦから得られる画素ＵＬ，ＵＣ，ＵＲについての信号値ＢＰＦUL，ＢＰＦUC，ＢＰＦUR、出力信号Ｍ−ＢＰＦから得られる画素ＭＬ，ＭＣ，ＭＲについての信号値ＢＰＦML，ＢＰＦMC，ＢＰＦMR、出力信号Ｌ−ＢＰＦから得られる画素ＬＬ，ＬＣ，ＬＲについての信号値ＢＰＦLL，ＢＰＦLC，ＢＰＦLRが用いられる。｜ＢＰＦML−ＢＰＦUL｜，｜ＢＰＦMC−ＢＰＦUC｜，｜ＢＰＦMR−ＢＰＦUR｜のうちの最大値を１／２にした値がＤMUである。｜ＢＰＦML−ＢＰＦLL｜，｜ＢＰＦMC−ＢＰＦLC｜，｜ＢＰＦMR−ＢＰＦLR｜のうちの最大値を１／２にした値がＤMLである。
【００４４】
更に、次に示すように、バンドパスフィルタ２４ａの出力信号Ｍ−ＢＰＦから得られる画素ＭＬ，ＭＣ，ＭＲについての信号値ＢＰＦML，ＢＰＦMC，ＢＰＦMRの最大値がＤMMとして得られる。また、ＤMU，ＤMLのうちの小なる方がＤMINSUBとされる。
【００４５】
ＤMM＝ＭＡＸ(ＢＰＦML，ＢＰＦMC，ＢＰＦMR)
ＤMINSUB＝ＭＩＮ(ＤMU，ＤML)
ＤMM及びＤMINSUBのうちの小なる方には係数αBIが乗算され、それがＤMM及びＤMINSUBのうちの大なる方の値（第４所定値）より小であるか否かが判別れる。すなわち、
ＭＡＸ(ＤMM，ＤMINSUB)＞ＭＩＮ(ＤMM，ＤMINSUB)・αBI
という条件が成立するか否かが判別される。その条件が成立する場合には、垂直方向の色成分の差分が非常に小さいので論理１を示す信号が出力され、条件が不成立の場合には垂直方向の色成分の差分がかなりあるので論理０を示す信号が出力される。
【００４６】
角検出器４０においては、次の示すようにローパスフィルタ２５ｂの出力信号Ｕ−ＬＰＦから得られる画素ＵＬ，ＵＣ，ＵＲの信号値ＬＰＦUL，ＬＰＦUC，ＬＰＦURの最大値と最小値との差分がＧＡＰUとして算出され、またローパスフィルタ２３ｂの出力信号Ｌ−ＬＰＦから得られる画素ＬＬ，ＬＣ，ＬＲの信号値ＰＦLL，ＬＰＦLC，ＬＰＦLRの最大値と最小値との差分がＧＡＰLとして算出される。
【００４７】
ＧＡＰU＝ＭＡＸ(ＬＰＦUL，ＬＰＦUC，ＬＰＦUR)−ＭＩＮ(ＬＰＦUL，ＬＰＦUC，ＬＰＦUR)
ＧＡＰL＝ＭＡＸ(ＬＰＦLL，ＬＰＦLC，ＬＰＦLR)−ＭＩＮ(ＬＰＦLL，ＬＰＦLC，ＬＰＦLR)
このように算出されたＧＡＰU，ＧＡＰLは上ライン及び下ラインの輝度成分の最大値と最小値との差分である。更に、この差分の絶対値に係数αYGが乗算され、その乗算結果がＬＰＦMCより小であるか否かが判別される。すなわち、
ＬＰＦMC＜|ＧＡＰU−ＧＡＰL|・αYG
という条件が成立するか否かが判別される。その条件が成立する場合には、水平方向の輝度成分の変化度が大きいので論理１を示す信号が出力され、条件が不成立の場合には水平方向の輝度成分の変化度が小さいので論理０を示す信号が出力される。
【００４８】
入力映像信号が標準信号である場合には、非標準判定信号に応じてセレクタ５３はＯＲ回路５２の出力信号を相関検出回路２７の出力信号として切替セレクタ３２に供給する。
【００４９】
水平度検出器３７によって水平方向の相関性がないとして論理０を示す信号が出力され、同時に垂直方向の色成分の差分が非常に小さいためにＢＰＦ差分検出器３９からは論理１を示す信号が出力された場合には、ＡＮＤ回路４９は論理１を示す信号を出力する。
【００５０】
また、水平度検出器３７によって水平方向の相関性がないとして論理０を示す信号が出力され、同時に垂直方向の複合映像信号値の差分が非常に小さいためにＣＶＢＳ差分検出器３８からは論理１を示す信号が出力された場合には、ＡＮＤ回路５０は論理１を示す信号を出力する。
【００５１】
入力映像信号が標準信号である場合には、ＡＮＤ回路４９，５０から共に論理１を示す信号がされ、更に、ＤＣレベル差分検出器３６から垂直方向の相関性があるとして論理１を示す信号が出力されたならば、ＡＮＤ回路５１は論理１を示す信号を出力する。その論理１を示す信号はＯＲ回路５２及びセレクタ５３を介して２ＤＹＣ選択信号として出力される。
【００５２】
同様に、入力映像信号が標準信号である場合には、水平方向の輝度成分の変化度が大きいために角検出器４０からを論理１を示す信号が出力されたならば、その論理１を示す信号はＯＲ回路５２及びセレクタ５３を介して２ＤＹＣ選択信号として出力される。
【００５３】
一方、水平度検出器３７によって水平方向の相関性があるとして論理１を示す信号が出力され、同時に垂直方向の色成分の差分がかなりあるためにＢＰＦ差分検出器３９からは論理０を示す信号が出力された場合、或いはそのいずれか一方から論理０を示す信号が出力された場合には、ＡＮＤ回路４９は論理０を示す信号を出力する。
【００５４】
また、水平度検出器３７によって水平方向の相関性があるとして論理０を示す信号が出力され、同時に垂直方向の複合映像信号値の差分がかなりあるためにＣＶＢＳ差分検出器３８からは論理０を示す信号が出力された場合、或いはそのいずれか一方から論理０を示す信号が出力された場合には、ＡＮＤ回路５０は論理０を示す信号を出力する。
【００５５】
入力映像信号が標準信号である場合には、ＡＮＤ回路４９，５０の少なくとも一方から共に論理１を示す信号がされるか、或いは、ＤＣレベル差分検出器３６から垂直方向の相関性がないとして論理０を示す信号が出力されたならば、ＡＮＤ回路５１は論理０を示す信号を出力する。同時に、水平方向の輝度成分の変化度が小さいために角検出器４０からを論理０を示す信号が出力されると、論理０を示す信号がＯＲ回路５２及びセレクタ５３を介して１ＤＹＣ選択信号として出力される。
【００５６】
入力映像信号が非標準信号である場合には、非標準判定信号に応じてセレクタ５３はＡＮＤ回路４８の出力信号を相関検出回路２７の出力信号として切替セレクタ３２に供給する。
【００５７】
入力映像信号が非標準信号である場合に、ＤＣレベル差分検出器３６から垂直方向の相関性があるとして論理１を示す信号が出力され、同時に垂直方向の複合映像信号値の差分が非常に小さいためにＣＶＢＳ差分検出器３８からは論理１を示す信号が出力された場合には、ＡＮＤ回路４８は論理１を示す信号を出力する。そのＡＮＤ回路４８の論理１を示す信号はセレクタ５３を介して２ＤＹＣ選択信号として出力される。
【００５８】
また、入力映像信号が非標準信号である場合に、ＤＣレベル差分検出器３６から垂直方向の相関性がないとして論理０を示す信号が出力され、同時に垂直方向の複合映像信号値の差分がかなり大きいためにＣＶＢＳ差分検出器３８からは論理０を示す信号が出力された場合、又はそのいずれか一方から論理０を示す信号が出力された場合には、ＡＮＤ回路４８は論理０を示す信号を出力する。そのＡＮＤ回路４８の論理０を示す信号はセレクタ５３を介して１ＤＹＣ選択信号として出力される。
【００５９】
セレクタ５３から２ＤＹＣ選択信号が切替セレクタ３２に供給された場合には、切替セレクタ３２はラインコムフィルタ２９の出力信号を色信号として出力する。一方、セレクタ５３から１ＤＹＣ選択信号が切替セレクタ３２に供給された場合には、切替セレクタ３２はバンドパスフィルタ２４ａの出力信号Ｍ−ＢＰＦを色信号として出力する。
【００６０】
１ライン遅延メモリ１１の出力映像信号である処理対象ラインの映像信号から切替セレクタ３２から出力された色信号が減算器３４によって差し引かれ、その結果が輝度信号として出力される。
【００６１】
このように、入力映像信号が標準信号である場合には、垂直方向に相関性がある映像に対してはライン間コムフィルタ処理を行って色信号を抽出する。一方、例えば、白い背景に１ライン幅の青色の水平方向の線が表示された信号のような垂直方向に相関がない映像信号に対してはバンドパスフィルタ出力を色信号とするので、横方向ドットクロールが大幅に低減することができる。入力映像信号が非標準信号である場合には、マルチバーストの如き輝度のみ垂直方向相関が強い映像信号に対してはライン間コムフィルタ処理を行って色信号を抽出し、非標準信号に対してはバンドパスフィルタ出力による色信号抽出だけの従来回路に比べ解像度を格段に上げることができる。また、全ての相関検出を水平方向の３画素を用いて検出を行うのでノイズにも強い相関検出回路となっている。
【００６２】
なお、上記した実施例において用いられた係数αDC，αFL，αC4，αBI，αYG各々の値は大小判別基準を調整するために変更可能である。
【００６３】
以上のように、本発明によれば、処理対象ラインの映像信号と、その前後の映像信号とを用いて色信号を生成する適応型コムフィルタと、処理対象ラインの映像信号中の色信号を抽出するバンドパスフィルタと、処理対象ライン内の映像信号の水平相関性と、処理対象ラインとその前後のラインとの映像信号中の輝度信号の垂直相関性と、処理対象ラインとその前後のラインとの映像信号中の色信号の垂直相関性とを検出する相関検出回路と、輝度信号の垂直相関性及び色信号の垂直相関性が共にありと検出された場合に適応型コムフィルタの出力を選択し、映像信号の水平相関性がありかつ輝度信号及び色信号の垂直相関性がなしと検出された場合にバンドパスフィルタの出力を選択するセレクタと、セレクタの出力色信号と処理対象ラインの映像信号とを用いて輝度信号を生成する輝度信号生成部と、を備えたので、ＰＡＬ方式の複合映像信号のうちの標準信号及び非標準信号のいずれに対しても適切な輝度信号及び色信号への分離を行うことができる。
【図面の簡単な説明】
【００６４】
【図１】本発明の実施例を示すブロック図である。
【図２】図１の回路中の相関検出回路の具体的構成を示す回路図である。
【図３】処理対象ライン及びその上下ライン各々の３つの連続する左、中央及び右の画素についてデータの添え字を説明する図である。
【符号の説明】
【００６５】
１０〜１３  １ライン遅延メモリ
２３〜２５  フィルタ回路
２７  相関検出回路
２９  ラインコムフィルタ
３５  減算器
３６  ＤＣレベル差分検出器
３７  水平度検出器
３８  ＣＶＢＳ差分検出器
３９  ＢＰＦ差分検出器
４０  角検出器
【図１】
2006157550.tif 000003
【図２】
2006157550.tif 000004
【図３】
2006157550.tif 000005